(57)【要約】【課題】キャリアに乗せた入浴者を、予めキャリア洗浄部で陰部や足裏等を洗浄したのち浴槽で入浴できるようにし、入浴者に身体的な負担をかけることなく且つ入浴介護作業を軽減することができる入浴装置を提供する。【解決手段】キャリア２に乗った入浴者を床面９を移動させ浴槽３１内に収容して入浴させる入浴部４を設置した入浴装置１において、前記浴槽３１の入浴作業上手側に、キャリア２を床面９に位置決め停止させる位置決め手段１０を有し、該位置決め手段１０によるキャリア停止位置で、床面９側から通水空間を介し入浴者の陰部に向けて洗浄水を噴出させる洗浄ノズル１２を備えるキャリア洗浄部３を設置した構成とする。【選択図】図１
2009112389.tif 000002
【特許請求の範囲】
【請求項１】
キャリア（２）に乗った入浴者を床面（９）を移動させ浴槽（３１）内に収容して入浴させる入浴部（４）を設置した入浴装置（１）において、前記浴槽（３１）の入浴作業上手側に、キャリア（２）を床面（９）に位置決め停止させる位置決め手段（１０）を有し、該位置決め手段（１０）によるキャリア停止位置で、床面（９）側から通水空間を介し入浴者の陰部に向けて洗浄水を噴出させる洗浄ノズル（１２）を備えるキャリア洗浄部（３）を設置した入浴装置。
【請求項２】
キャリア洗浄部（３）に、床面（９）側からキャリア（２）に乗ったままの入浴者の足裏に向けて洗浄水を噴出する足裏ノズル（１３）を設けた請求項１の入浴装置。
【請求項３】
入浴部（４）の浴槽（３１）に、入浴者の頭部にエアーを噴出させる送風ノズル（３５）を設けた請求項１又は２の入浴装置。
【請求項４】
浴槽（３１）に、マイクロバブルを発生するマイクロバブル発生装置（４３）と接続するマイクロバブルノズル（４５）を設けた請求項１又は２又は３の入浴装置。
【請求項５】
浴槽（３１）の底部側に温風を噴射する乾燥ノズル（３６）を設けた請求項１又は２又は３又は４の入浴装置。
【請求項６】
床面（９）に、キャリア（２）をキャリア洗浄部（３）から入浴部（４）の浴槽（３１）に移動案内する移動ガイド手段（１１）を設けた請求項１又は２又は３又は４又は５の入浴装置。
【請求項７】
キャリア洗浄部（３）の側方に、入浴者が把持して起立姿勢を保持する支持部材４１を移動ガイド手段（１１）と略平行状に立設した請求項１又は２又は３又は４又は５又は６の入浴装置。
【請求項８】
キャリア（２）をキャリア洗浄部（３）と入浴部４に移動案内する移動ガイド手段（１１）を、廊下に隣接して併設する脱衣室（７）と着衣室（８）の間に設置した請求項１又は２又は３又は４又は５又は６又は７の入浴装置。
【請求項９】
移動ガイド手段（１１）を、床面（９）に凹入形成されてキャリア（２）に下向きに突設した係合突起部（６６）を挿入移動自在なガイド溝（６５）とした請求項１又は２又は３又は４又は５又は６又は７又は８の入浴装置。
【請求項１０】
移動ガイド手段（１１）の経路中に、キャリア（２）の向きを変更自在にする方向転換ガイド部（７５）を設けた請求項１又は２又は３又は４又は５又は６又は７又は８又は９の入浴装置。
【請求項１１】
移動ガイド手段（１１）の経路中に、第１の方向転換ガイド部（７５）を脱衣室（７）と着衣室（８）との間に設け、第２の方向転換ガイド部（７５）を入浴部４の作業上手側に設けると共に、第１の方向転換ガイド部（７５）の側方に中継ベッド７６を設け、且つ第２の方向転換ガイド部（７５）の側方にキャリア洗浄部３を設置した請求項１又は２又は３又は４又は５又は６又は７又は８又は９又は１０の入浴装置。
【発明の詳細な説明】
【技術分野】
【０００１】
本発明は、キャリアに入浴者を乗せたままでキャリア洗浄部と入浴部に移動し入浴作業を行うことができる入浴装置に関する。
【背景技術】
【０００２】
従来、車椅子に着座した入浴者を入浴させる入浴装置としては、入浴者を車椅子ごと浴槽に入れ、該浴槽に設置された複数の噴射ノズルから湯を噴射し入浴するシャワ式の入浴装置がある。この入浴装置によれば、複数の噴射ノズルが浴槽内の入浴者の身体に向けて湯を噴射するため、入浴者は車椅子に着座したままの状態で入浴することができる（例えば、特許文献１参照。）。
【特許文献１】特開２００５−１１１０４７号公報
【発明の開示】
【発明が解決しようとする課題】
【０００３】
上記特許文献１で示される入浴装置は、身体が不自由で介護を要する入浴者を車椅子に着座させたままで、胸部，腹部，腕部及び大腿部に噴射ノズルから噴射される湯（シャワ）を浴びせ身体の大部分を洗うことができる利点がある。然し、陰部及び大腿部の裏側については浴槽内で噴射される湯だけでは充分に洗浄することができず、陰部の付着物が浴槽に滞留する欠点や、入浴により充分な洗浄をしようとすると入浴時間が長くなる等の欠点がある。また背中を洗うときは、入浴者の上半身を前方へ倒して背中を車椅子の背もたれから離すことでシャワを浴びることができるが、入浴者に身体的な負担や不快感を与えたり、介護者に高度な介護技術を強要したり無理な姿勢が求められることにより、肉体的な負担を増大させる等の問題がある。
本発明は上記従来の問題を考慮し、入浴者を予めキャリア洗浄部で陰部や足裏等を洗浄したのち浴槽で入浴できるようにし、入浴者に身体的な負担をかけることなく且つ介護者の作業を軽減することができる入浴装置を提供することを目的とする。
【課題を解決するための手段】
【０００４】
上記課題を解決するために本発明の入浴装置は、第１に、キャリア２に乗った入浴者を床面９を移動させ浴槽３１内に収容して入浴させる入浴部４を設置した入浴装置１において、前記浴槽３１の入浴作業上手側に、キャリア２を床面９に位置決め停止させる位置決め手段１０を有し、該位置決め手段１０によるキャリア停止位置で、床面９側から通水空間を介し入浴者の陰部に向けて洗浄水を噴出させる洗浄ノズル１２を備えるキャリア洗浄部３を設置したことを特徴としている。
【０００５】
第２に、キャリア洗浄部３に、床面９側からキャリア２に乗ったままの入浴者の足裏に向けて洗浄水を噴出する足裏ノズル１３を設けたことを特徴としている。
【０００６】
第３に、入浴部４の浴槽３１に、入浴者の頭部にエアーを噴出させる送風ノズル３５を設けたことを特徴としている。
【０００７】
第４に、浴槽３１に、マイクロバブルを発生するマイクロバブル発生装置４３と接続するマイクロバブルノズル４５を設けたことを特徴としている。
【０００８】
第５に、浴槽３１の底部側に温風を噴射する乾燥ノズル３６を設けたことを特徴としている。
【０００９】
第６に、床面９に、キャリア２をキャリア洗浄部３から入浴部４の浴槽３１に移動案内する移動ガイド手段１１を設けたことを特徴としている。
【００１０】
第７に、キャリア洗浄部３の側方に、入浴者が把持して起立姿勢を保持する支持部材４１を移動ガイド手段１１と略平行状に立設したことを特徴としている。
【００１１】
第８に、キャリア２をキャリア洗浄部３と入浴部４に移動案内する移動ガイド手段１１を、廊下に隣接して併設する脱衣室７と着衣室８の間に設置したことを特徴としている。
【００１２】
第９に、移動ガイド手段１１を、床面９に凹入形成されてキャリア２に下向きに突設した係合突起部６６を挿入移動自在なガイド溝６５としたことを特徴としている。
【００１３】
第１０に、移動ガイド手段１１の経路中に、キャリア２の向きを変更自在にする方向転換ガイド部７５を設けたことを特徴としている。
【００１４】
第１１に、移動ガイド手段１１の経路中に、第１の方向転換ガイド部７５を脱衣室７と着衣室８との間に設け、第２の方向転換ガイド部７５を入浴部４の作業上手側に設けると共に、第１の方向転換ガイド部７５の側方に中継ベッド７６を設け、且つ第２の方向転換ガイド部７５の側方にキャリア洗浄部３を設置したことを特徴としている。
【発明の効果】
【００１５】
本発明による入浴装置は次のような効果を奏する。浴槽の入浴作業上手側に設けた位置決め手段によってキャリアを位置決め停止させた状態で、床面側に設けた洗浄ノズルから通水空間を介し入浴者の陰部に向けて洗浄水を噴出させるキャリア洗浄部を設置したことにより、キャリアに乗ったままの入浴者の陰部に向けて陰部ノズルから洗浄水を正確に噴射することができるので、入浴者に姿勢変更等の負担を掛けることなく快適な洗浄をすることができると共に、介護労力を軽減させることができる。またキャリア洗浄部で陰部を清潔にしたのち入浴するので、一連の入浴介護作業を軽減することができると共に、入浴を能率よく安全に行うことができる。
【００１６】
キャリア洗浄部でキャリアに乗ったままの入浴者の足裏に向けて、床面側から足裏ノズルによって洗浄水を噴出することにより、キャリアに乗ったままで入浴者の足裏を綺麗に洗うことができるので、入浴者に姿勢変更等の身体的な負担を掛けることなく洗浄をすることができると共に、介護者の労力を軽減することができる。
【００１７】
入浴部の浴槽に、入浴者の頭部にエアーを噴出させる送風ノズルを設けたことにより、入浴時間を利用して入浴姿勢のままで入浴者の頭部を送風ノズルによって簡単に乾かすことができる。これにより入浴者は髪を乾かした快適な状態で次の工程に移動することができ、また着衣室における頭部の乾燥作業等の一連の入浴介護作業を軽減することができると共に、設定された時間内に必要充分な内容の入浴を能率よく行うことができる。
【００１８】
マイクロバブル発生装置に接続されるマイクロバブルノズルからマイクロバブルを浴槽内に噴射することにより、入浴者をマイクロバブル作用によって快適に入浴させると共に、介護作業を楽に行うことができる。
【００１９】
浴槽に底部側から温風を噴射する乾燥ノズルを設けたことにより、排水した状態の浴槽を利用して乾燥ノズルから供給される温風によって、タオル等を用いた人為的な拭き取り乾燥が行い難い局所の乾燥を簡単に行うことができる。
【００２０】
入浴者を載せたキャリアを、移動ガイド手段によってキャリア洗浄部から浴槽へ蛇行を防止して移動案内するので、キャリア洗浄部におけるキャリアの位置決め固定を確実にして洗浄作業を安全に行うことができると共に、浴槽に対するキャリアの収容セット等の移動労力を軽減することができる。
【００２１】
支持部材をキャリア洗浄部の側方に支持部材を移動ガイド手段と略平行状に立設したことにより、入浴者が支持部材を把持して起立姿勢を安定よく保持することができるので、入浴者の洗浄等の介護作業をスムーズに行うことができる。
【００２２】
廊下に隣接する脱衣室と着衣室の間に移動ガイド手段を設置したことにより、脱衣室に入って脱衣した入浴者はキャリアに乗ったままキャリア洗浄部及び入浴部に移動して、一連の入浴作業を終えたのち着衣室に速やかに移動することができる。また脱衣室と着衣室は移動ガイド手段によって区画されるので、次位の入浴者との交替や介護作業を煩雑にすることなく、相互のプライベートを保持しつつ作業をスムーズに能率よく行うことができる。
【００２３】
移動ガイド手段を、キャリアに突設した係合突起部を挿入自在なガイド溝としたことにより、床面に対するキャリアの設置と移動案内を簡単に行うことができる。また床面を平坦面にすることができるガイド溝は、床面を清掃する際の清掃用溝として使用することができる。
【００２４】
移動ガイド手段の経路中に方向転換ガイド部を設けたことにより、キャリアを作業を行ない易い向きに簡単に変更することができる。また方向転換ガイド部を介して移動ガイド手段の縦経路の側方に、中継ベッドやキャリア洗浄部等を使用し易い位置に簡単に設置することができる。
【００２５】
入浴装置は部屋に沿って設置される移動ガイド手段に、脱衣室と着衣室との間に第１の方向転換ガイド部を設置することにより、その側方に中継ベッドを設けることができるので、入浴作業を終えた入浴者を中継ベッドに移し替えたのちキャリアを速やかに待機姿勢に復帰することができ、次位の入浴者を長く待機させることのない入浴を行い易くすることができる。また入浴部に至る中途において第２の方向転換ガイド部を設けることにより、キャリア洗浄部を部屋の側方に簡単に設置することができ、部屋の中央部に広い作業スペースを形成してキャリア洗浄部での作業を行い易くすることができる。また一連の入浴介護作業を軽減することができるので、多数の要介護者を擁する施設において設定された時間内に必要充分な内容の入浴を能率よく安全に行うことができる。
【発明を実施するための最良の形態】
【００２６】
本発明の一実施形態を図面に基づいて説明する。図面において符号１は介護を必要とする入浴者に大きな負担を掛けることなく入浴を行なうことができる入浴装置である。図１〜図３で示す入浴装置１は、入浴者をキャリア２に着座させたままの状態でシャワ洗浄をさせることができるキャリア洗浄部３と、該キャリア洗浄部３に隣接し入浴作業方向下手側に設置され、入浴姿勢のまま頭部を乾燥させることができる入浴部４等からなる。
【００２７】
この入浴装置１は部屋５の出入口を建物の廊下側と介して接続しており、部屋５の左右幅略中央にキャリア洗浄部３と入浴部４を略直線状の作業経路（縦経路）を形成して前後方向に設けている。図示例の部屋５は廊下側に隣接し入口６と出口６ａを左右に配し、室内側にそれぞれ脱衣室７と着衣室８とを設置している。
そして、脱衣室７と着衣室８の間から前記作業経路に沿った床面９に、脱衣室７側からキャリア２を移動し位置決め手段１０によってキャリア洗浄部３で位置決め停止させると共に、入浴部４へ移動案内させる移動ガイド手段１１を設けている
【００２８】
図示例の移動ガイド手段１１は部屋中央部の床面９に縦方向に形成したレール又は凹溝等からなり、入浴者を載せたままのキャリア２を介護者が、移動ガイド手段１１に沿って蛇行を防止し楽に押動移動をすることができる。
また位置決め手段１０は移動ガイド手段１１の中途でキャリア洗浄部３の設定位置に設けており、この実施形態では床面９に進退操作自在に設置されるストッパ１０ａとしている。このストッパ１０ａは進出姿勢ではキャスタ２６に接当してキャリア２の前後移動を規制し、退動姿勢ではキャリア２から離脱して、前後移動の走行を自由に行なわせることができる構成としている。
【００２９】
次に上記各部の構成について説明する。先ずキャリア洗浄部３はキャリア２を位置決め手段１０によって前記位置決め停止させる洗浄作業位置において、床面９から通水空間を有して洗浄水を上向きに噴射する陰部洗浄用の陰部ノズル１２と、洗浄水を足裏に噴射する足裏ノズル１３とを設置している。また洗浄作業位置上方の天井１４には、洗浄水を下向きに噴射するシャワ１５と洗剤液を噴射する洗剤シャワ１６を姿勢変更自在に設置している。
【００３０】
そして、キャリア洗浄部３の近傍には、各シャワやノズル及び浴槽湯水やエアー等の温度調節や供給量調節並びに各機器や装置のコントロールを行うことができる操作部１７を立設している。
実施形態のキャリア２は入浴仕様の車椅子を示しており、背当部２１と尻受部２２と足受部２３等からなる椅子部を、尻受部２２側に設けたキャスタ２６付の4本の支脚２５によって支持し、且つキャスタ２６付の台車部２７の上に係脱自在に載置する構成にしている。
【００３１】
このキャリア２は尻受部２２の中央部に洗浄孔２９を形成しており、該洗浄孔２９によって臀部及び大腿部の裏側の一部は尻受部２２に接触しない。これによりキャリア洗浄部３はキャリア２を洗浄作業位置に位置決め停止すると、陰部ノズル１２から噴射される洗浄水を通水空間を介して拡散しながら洗浄孔２９を通し、陰部に確実に供給して洗浄することができる。
【００３２】
また足受部２３は左右の足を爪先側を露出させて支持することができ、この状態で足裏ノズル１３から噴射される洗浄水は、前記のものと同様に通水空間を経て足指の間にも入り込むので綺麗にあらうことができる。尚、上記椅子部は全体を通水自在とするネット部材で構成すると、キャリア２を移動させながら上記洗浄水によって身体の背後も洗浄することができ、入浴者の体を無理に動かしたり介護者が大きく腰を曲げることなく介護作業を楽に行うこと可能とする。
また前記洗浄作業位置の天井１４にはシャワ１５と洗剤シャワ１６を備えているので、この場で洗剤シャワ１６とシャワ１５とを使用し、陰部の付着物の洗い流しと共に髪や頭部の洗浄も同時に能率よく行うことができる。
【００３３】
次に入浴部４について説明する。図示例の入浴部４には入浴者をキャリア２に着座させたまま入浴させることができる在来の構成による浴槽３１を設置している。
この入浴部４はキャリア２を収容する浴槽３１の下部に、前記台車部２７を差し込むことができる空間部３１ａを形成し、且つ浴槽３１はその後壁３２を後端面に対し横側壁の蝶番支持部３１ｂを支点に開閉自在に閉鎖することができる構成としている。
【００３４】
上記浴槽３１は後壁３２を閉鎖した状態で図示しない給排水構造を介して湯水を貯留し、使用後に湯水を簡単に排水することができる。また浴槽３１は両側壁部に湯水を噴出する浴槽シャワ３３を備えており、入浴姿勢の入浴者の身体に噴射した湯水を浴槽３１内に還元できるようにしている。また浴槽３１の底壁部には湯水又は気泡を上方に向けて噴射する浴槽ノズル３４を設けている。
【００３５】
さらに、入浴部４は入浴姿勢の入浴者の頭部にエアーを噴射させる送風ノズル３５を備えている。図示例の送風ノズル３５は天井に姿勢変更自在に設置しており、これにより入浴者は前工程のキャリア洗浄部３で洗髪した頭部を、浴槽３１に入浴している時間を利用し、送風ノズル３５から供給するエアー（乾燥風）によって乾燥させることができる。また送風ノズル３５は冷風を切換え自在に供給する構成としており、頭部の所望箇所を冷風によって冷却しながら入浴をすることができる。
【００３６】
そして、浴槽３１は底部に図示しないドライヤ装置に通じて温風（乾燥エアー）を上向きに噴出する乾燥ノズル３６を、少なくともキャリア２の下方と足裏の下方に設置している。これにより入浴部４では、入浴者が入浴を終え浴槽３１内の湯水を排出したのちに、各乾燥ノズル３６から温風を噴出させて使用することができる。尚、この乾燥ノズル３６及び後述するマイクロバブルノズル４５を図示しない切換機構と接続し、両者の配管構造を前記浴槽ノズル３４に組み込んで共通化させて廉価な構成にすることができる。
【００３７】
また入浴後に排水し後壁３２を開放するまでの間に、乾燥ノズル３６から供給される温風によって、入浴姿勢ではタオル等による人為的に拭き取り乾燥が行い難い局所、即ち陰部や臀部並びに足裏，足指の乾燥を速やかに終えることができる。
また乾燥ノズル３６を備えた浴槽３１は、入浴者が浴槽３１を蓋をした状態で首から顔を出してサウナ浴態様で使用することができる。
【００３８】
尚、上記キャリア２の椅子部は簡易型の一般的なものから、例えば岩盤浴仕様のものに取り替えることができる。岩盤浴仕様の椅子部は背当部２１及び尻受部２２等をネット状のシート部材により袋体にすることが望ましく、その内部に粒状に加工され人体に有効な遠赤外線や放射線或はマイナスイオン等を発する鉱石やセラッミク等を充填することによって構成することができる。この椅子部の場合は下方から温風を椅子部に供給し加熱しながら使用すると、鉱石等を利用した岩盤浴態様での使用を高めることができる。
【００３９】
次に脱衣室７と着衣室８について説明する。この脱衣室７と着衣室８は廊下に面する側の部屋幅の左右に形成され、隣接位置にカーテン等による間仕切り壁３９を開閉自在に設け、且つ脱衣室７に入口６と着衣室８に出口６ａを設けた構成としている。
そして、キャリア洗浄部３の側方には、入浴者が立姿で把持することができる支持部材４１を脱衣室７に隣接する壁面に沿って立設している。これにより入浴者は脱衣室７から支持部材４１を把持してキャリア２に着座することができ、またキャリア２に着座した入浴者が支持部材４１を把持して立つことができ、起立姿勢を保持した状態で介護者による身体の洗浄を行い易くすることができる。
【００４０】
次に入浴部４に設置される前記マイクロバブル発生装置４３について説明する。このマイクロバブル発生装置４３は一般に市販されている家庭用マイクロバブル温浴装置を利用し、浴槽３１の外部に設置される装置本体と接続するマイクロバブルノズル４５を、浴槽３１内に臨ませて設けている。このマイクロバブル発生装置４３は２０ミクロン以下の超微細気泡を発生し浴槽３１の底壁側又は側壁側に設置されるマイクロバブルノズル４５から湯水中にマイクロバブルを供給することができる。
【００４１】
上記マイクロバブル発生装置４３から発生されるマイクロバブルは、湯水中においてマイナスの電位を帯びておりマイクロバブル特有の自己収縮の力及び圧壊現象により、マイクロバブルが身体の汚れと結びついて浮上させるので、石鹸や洗剤を使わず皮膚をこすることもなく洗浄することができ、且つ保温効果も高めるので湯冷めをし難くすることができる。また浴槽３１内にマイクロバブルが噴射されると湯水は即時的に白濁した状態となり湯水の透明度を低下させるので、入浴者の湯水に浸っている身体部分を外観し難くすることができる。
従って、マイクロバブル発生装置４３を備えた浴槽３１は、入浴を快適且つ健康的に行うことができ、また介護者の手間をかけることのない入浴を可能にすることができる。
【００４２】
以上のように構成される入浴装置１は、廊下に脱衣室７と着衣室８とを隣接させて併設し、脱衣室７と着衣室８の間にキャリア２をキャリア洗浄部３と入浴部４に移動させる移動ガイド手段１１を設置しているので、廊下側から脱衣室７に入った入浴者は脱衣したのち、脱衣室７に待機するキャリア２に速やかに着座することができる。次いで入浴者は必要により介護者の介護作業を受けてキャリア洗浄部３に移動することができる。
【００４３】
そして、介護者が位置決め手段１０によってキャリア２を床面９側に位置決め固定すると、キャリア洗浄部３ではキャリア２の停止位置で陰部ノズル１２と足裏ノズル１３が予め設定された位置に設置されていることにより、操作部１７を操作することにより流水空間を介して洗浄水を陰部と足裏に的確に噴出させて綺麗に洗浄をすることができる。
また同様に洗剤シャワ１６とシャワ１５を使用して身体の所要箇所を容易に洗うことができ、こののちキャリア２を入浴部４に移動し浴槽３１内にセットし入浴者を湯水に入れる。これによりキャリア洗浄部３によって身体の所要部を予め綺麗に洗われた入浴者は、浴槽３１内でゆったりと気持ちよく入浴することができる。また介護者は入浴部４での洗い作業を省力することができる。
【００４４】
このとき入浴者は浴槽３１に浸りながら浴槽ノズル３３による湯水噴射を受けたり、前記マイクロバブルを利用した入浴を行うことができる。また浴槽３１の上方に設置された送風ノズル３５の風によって入浴者は、前工程のキャリア洗浄部３で洗髪して濡れた頭部を、浴槽３１に入浴している間に乾燥することができるので、髪をさっぱりと乾燥させた状態での快適な入浴を味わうことができる。
【００４５】
そして、所定時間を入浴したのちに排水された浴槽３１内で、乾燥ノズル３６から上向きに噴射される風によって入浴者の陰部等の身体背面側の乾燥を行うことができ、その後浴槽３１から退出し移動ガイド手段１１に沿って復帰移動することができる。そして、移動ガイド手段１１を利用して着衣室８に帰着する復帰移動に、介護者は移動ガイド手段１１によって蛇行を防止された安定姿勢のキャリア２上の入浴者に対し、必要なタオル拭き作業やケアを適切に行うことができる。
【００４６】
また予め入浴時に髪の乾燥が行われていることにより、入浴後に行う頭部のタオル拭き作業を省力することができる。また入浴部４から速やかに着衣室８に移動することができると共に、着衣室８での迅速な着衣を可能とし入浴後の入浴者の身体的な負担も軽減することができる。
【００４７】
従って、本発明の入浴装置１によれば、入浴者に身体的な負担をかけることなく快適な入浴を可能にすることができると共に、一連の入浴介護作業（補助作業）を軽減することができる。従って、特に多数の要介護者を擁する特別老人施設等において、設定された時間内に必要充分な内容の入浴を能率よく安全に行うことができ、且つ介護者の労力や疲労を軽減し入浴介護作業を充実させることができる等の利点がある。
【００４８】
次に図３を参照しキャリア洗浄部３の別実施形態について説明する。尚、前記実施形態のものと同様な構成及び作用については説明を省略する。図示例のキャリア洗浄部３はキャリア２を位置決め停止する洗浄作業位置の床面９に、キャリア２を位置決めした状態で旋回させることができる回転床面９ａを設けている。
【００４９】
この回転床面９ａは床面９のベース側から突設している陰部ノズル１２を中心に旋回自在に構成し、移動ガイド手段１１として床面９に敷設される２条のレール４６に、それぞれ接続する旋回レール４７を敷設している。そして、回転床面９ａにはキャリア２を旋回レール４７に移動載置した状態で、キャスタ２６を係脱自在に固定することができる位置決め手段１０としてのストッパ４９を設けている。
【００５０】
これにより洗浄作業位置においてキャリア２は、旋回レール４７とストッパ４９を介して固定された状態で回転床面９ａを回転させて向きを変えるので、介護者が大きく腰を屈めたり無理な姿勢をとることなく洗浄作業を行い易くする。またキャリア洗浄部３と脱衣室７の間の床面９には水回収装置５１を設置し、キャリア洗浄部３側の床面９に流れる水が脱衣室７側へ侵入することを防止し回収することができる構成としている。
【００５１】
この水回収装置５１は床面９に埋設されるグレーチング部５２に、脱衣室７とキャリア洗浄部３とを仕切る仕切戸５３を案内移動させる仕切レール５４を突設している。この仕切レール５４はレール４６を横断する部分を上下動自在な可動仕切レール５６としており、該可動仕切レール５６はグレーチング部５２内で下方からスプリング５７によって上方に付勢支持する構成としている。
【００５２】
これによりキャリア２を通過させる際には可動仕切レール５６をスプリング５７に抗して足で下方に押し込むと、脱衣室７とキャリア洗浄部３とのキャリア２のレール移動を支障なく行うことができる。またキャリア２が通過したのちは可動仕切レール５６は上動復帰するので、仕切戸５３の左右移動をスムーズに行うことができる。
【００５３】
尚、図示例の浴槽３１は、入浴者を着座させたままキャリア２を後壁３２を開いて入浴させる方式の浴槽３１にしたが、この方式に限ることなく後壁を開閉しない一般的な浴槽に対し、適宜な昇降装置によって入浴者をキャリア２ごと持ち上げて収容する方式や、床面９に対し一段と低い位置に設置される浴槽に対し、移動ガイド手段１１によって入浴者をキャリア２ごと収容させる方式にすることができる。
また上記構成からなる入浴装置１は、キャリア洗浄部３と入浴部４等を設置した部屋５を予めユニット化して構成することが容易であり、この場合には既設の建物が備える廊下の所定箇所に対し、後付け作業によって簡単に設置することができる。
【００５４】
次に図４〜図１０を参照し入浴装置１の別実施形態について説明する。尚、前記実施形態のものと同様な構成及び作用については説明を省略する。この入浴装置１は、キャスタ２６を備えた台車部２７に通水構造のベッド部６０を備えたキャリア２に、入浴者を乗せ寝かせたままの状態でシャワ洗浄をさせるキャリア洗浄部３と、寝かせたままの入浴姿勢で入浴することができる入浴部４等から構成している。
図５〜図７で示すようにキャリア２は、左右前後にキャスタ２６を備えた台車部２７の一側（後側）に支柱６１を立設し、該支柱６１の上部に上記ベッド部６０の一側（後側）に設けた昇降アーム６２を昇降自在に支持する昇降機構６３を設けた構成となっている。
【００５５】
これによりキャリア２は図５で示すように、昇降機構６３を操作してベッド部６０を中程高さに上昇させた移動姿勢にすることができ、且つ図６で示すようにベッド部６０を下降させた入浴姿勢にすることができる。
そして、キャリア２は台車部２７の後側で左右のキャスタ２６の中央部に、後述する位置決め手段１０としてのガイド溝６５に係脱自在に挿入する係合突起部６６を下向きに突設している。この係合突起部６６は図７で示すように、台車部２７に取付固定した係合杆６７内に設置したホルダ６９に、スプリング７０とボール７１を設けている。また図示例の係合突起部６６はボール７１を回転自在に保持する台座７２を、操作部７３にワイヤ７４を介して接続している。
【００５６】
この構成により係合突起部６６は係合杆６７をガイド溝６５内に挿入した状態で、ボール７１をガイド溝６５の底面にスプリング７０の張力に押接している。またボール７１はガイド溝６５の底面中途に穿設された位置決め穴７６に至ると、スプリング７０の張力によって該穴７６に挿入係合させることができる。この状態で操作部７３を操作するとワイヤ７４を介して台座７２を引き上げ手、ボール７１を元の状態に復帰させ位置決め穴７６から簡単に離脱させることができる。
【００５７】
また入浴部４は図８で示すように、入浴者を載せた状態でベッド部６０を浴槽３１内に沈めることができる大きさと形状にしており、頭部側に入浴姿勢の入浴者の頭部にエアーを噴射させる送風ノズル３５と、湯水を肩口に向けて噴出する浴槽シャワ３３を設け、他側にはマイクロバブル装置マイクロバブルノズル４５を設置している。また浴槽３１の下部には脚部を介してキャリア２の台車部２７を挿入する３１ａを形成している。尚、浴槽３１内には必要により湯水又は気泡を上方に向けて噴射する浴槽ノズル３４が設置される。
【００５８】
そして、入浴装置１は図４に示すように、廊下に隣接させた脱衣室７と着衣室８の間に移動ガイド手段１１を設置し、その経路中にキャリア２の向きを変更自在にする複数の方向転換ガイド部７５を設けている。第１の方向転換ガイド部７５は脱衣室７に備えられた中継ベッド７６を設置した位置と、キャリア洗浄部３に移動させる位置に第２の方向転換ガイド部７５を構成している。図示例の移動ガイド手段１１は床面に凹入形成した前記キャリア２に突設した係合突起部６６を挿入するガイド溝６５としている。このガイド溝６５は台車部２７のキャスタ２６を床面に接地させた状態で係合突起部６６を挿入移動自在とする幅と深さの凹溝にしている。
【００５９】
上記のように凹溝からなる移動ガイド手段１１は、床面９に対するキャスタ２６付きのキャリア２の設置を、係合突起部６６を上方からガイド溝６５に挿入するだけで簡単に行うことができ、キャリア２の横移動を規制しながら前後方向の移動案内をスムーズに行うことができる。
またこの位置決め手段１０によれば、床面９に突起物を形成することなく凹溝を形成した平坦面にすることができ、ガイド溝６５は図示しない排水部と接続できるので、床面を清掃する際の清掃用溝として利便性を有して使用することができる等の利点がある。
【００６０】
この実施形態の入浴装置１は、キャリア洗浄部３を図４に示すように部屋５の壁面側に纏めて設置することができるので、キャリア洗浄部３の水回りの構造を簡潔で廉価な構成にすることができ、また部屋中央部が濡れることを防止することができる。そして、図９に示すようにキャリア洗浄部３は、第２の方向転換ガイド部７５で位置決めされる位置で、陰部ノズル１２と足裏ノズル１３を所定の間隔を有して床面９側に設置し、それぞれの上部にベッド部６０を挿入する間隔を有して、洗浄水又は洗剤を噴出する洗浄ノズル７７と乾燥用ノズル７８を設置している。８１は上記洗浄水を収容する洗浄水タンクである。
【００６１】
上記構成によりキャリア洗浄部３にベッド部６０を挿入して位置決めすると、入浴者は寝たままの姿勢で身体局所の洗浄作業を各ノズルによって簡単且つ確実に行うことができる。尚、陰部ノズル１２と足裏ノズル１３はノズルを回転させながら噴射をする方式にすると、足指や陰部，腹部の複雑な形状部位をより速やか簡単に洗浄することができる。
【００６２】
次に、方向転換ガイド部７５について図４，図７を参照し説明する。この方向転換ガイド部７５は前記係合突起部６６を挿入移動させるガイド溝６５の形状を、部屋中央部で長い直線状をなす縦経路８２と、該縦経路８２に対し横長さの中途部で略直交させる横経路８３と、両者の交点Ｐを中心と該横経路８３の一端と縦経路８２とを円弧を描いて結ぶ旋回経路８４とで構成している。
【００６３】
これにより図４で示すように、中継ベッド７６に沿ってベット部６０部の長手方向を略平行状になした待機位置にあるキャリア２の係合突起部６６は、横経路８３と旋回経路８４の交点Ｑに位置しており、ここからキャリア２を横方向に押動すると横経路８３の終端位置に穿設している位置決め穴７６にボール７１を挿入して位置決め停止して固定することができる。またベッド部６０は中継ベッド７６に近接又はラップさせることができるので、入浴作業完了後の入浴者を中継ベッド７６に簡単且つ楽に移すことができる。
【００６４】
そして、入浴者の移し替え作業を終えたのちは、位置決め穴７６からボール７１を解除操作し離脱させた状態となし、キャリア２を元の待機位置に後退させると、空になった待機姿勢のベッド部６０に、車椅子２ａ等を用いて脱衣室７に入場した次位の入浴者を脱衣して乗せることができる。尚、位置決め穴７６は必要箇所に設けるが、キャリア２の待機位置における交点Ｑにも位置決め穴７６を設けることが望ましい。
次いで、上記入浴者の搭乗作業終えたのちは、旋回経路８４に係合突起部６６を移動案内させてキャリア２を旋回押動すると、該係合突起部６６が旋回経路８４と縦経路８２の交点Ｒに至ったとき、キャリア２はベット部６０部を縦経路８２に直交させた横向姿勢となるので、縦経路８２を矢印方向に移動させることができる。
【００６５】
次に上記構成される入浴装置１による入浴作業について説明する。先ず前記した第１の方向転換ガイド部７５でキャリア２による待機姿勢において、入浴者がベッド部６０に搭乗した状態で、キャリア２を横向姿勢となして縦経路８２を実線矢印方向に移動すると、第２の方向転換ガイド部７５の交点Ｒに係合突起部６６を至らせ、ボール７１を位置決め穴７６に係合することができる。ここで係合突起部６６をボール７１の係合を解除操作し、キャリア２を旋回経路８４を介して旋回移動させると、キャリア２は交点Ｑで縦向姿勢となり横経路８３を押動移動することができ、係合突起部６６を横経路８３終端の位置決め穴７６に位置決め停止させ、ベッド部６０をキャリア洗浄部３にセットし洗浄作業を行うことができる。
【００６６】
次いで洗浄作業が完了されるとキャリア２は、係合突起部６６の係合が解除されて横経路８３を退動移動し前記と逆順の移動によって交点Ｒで横向姿勢になり、縦経路８２を実線矢印方向に移動し浴槽３１の直前で一旦停止し、ベッド部６０を移動高さ姿勢から上昇させて浴槽３１より高い姿勢にする。
次いでキャリア２を前進させ台車部２７を浴槽３１の空間部に挿入し、この挿入位置でベッド部６０を下降させて、入浴者と共に浴槽３１内の底部に沈めることができる。これにより入浴者はマイクロバブル入浴をしながら所望により肩部シャワをすることができ、この入浴時間を利用し頭部の乾燥を行うことができる。
【００６７】
次いで入浴完了後はベッド部６０を上昇させ浴槽３１から離間した位置で移動姿勢となし、キャリア２を点線矢印方向に移動すると縦経路８２の終端で、第１の方向転換ガイド部７５に至らせることができる。ここでキャリア２は係合突起部６６を旋回経路８４を移動させて交点Ｑに至らせると、旋回した縦向姿勢にすることができる。次いで横経路８３を介して前記したようにベッド部６０に近接させて入浴者の移し替え作業を行うことができる。
次いで空になったキャリア２は元の待機姿勢にすることができ、次位の入浴者を前者の入浴者が中継ベッド７６にて身体の払拭や着衣をしている間に搭乗させて、前記と同様な入浴作業を能率よく連続して行うことができる。
【００６８】
従って、この入浴装置１は部屋５の中央部に設置された単列の移動ガイド手段１１に、脱衣室７と着衣室８との間で方向転換ガイド部７５を設置したことにより、入浴作業を終えた入浴者を中継ベッド７６に移し替えたのちは、キャリア２を速やかに待機姿勢に復帰することができるので、次位の入浴者を長く待機させることなく入浴作業を能率よく連続的に行うことができる。
【００６９】
これにより入浴者に身体的な負担や精神的なストレスを低減せしめ、且つ快適な入浴を可能にすることができると共に、介護者に対する労力の軽減を図りながら十分なケアを行うことを可能にする。さらに入浴装置１を設置した施設では各入浴作業工程毎のケアの質を上げながら全体的な時間を定めることができるので、施設においてケア内容の異なる多数の入浴者に対する全体的な入浴計画（ダイヤ）の立案実施を容易にすることができる等の特徴がある。
【００７０】
また入浴装置１は移動ガイド手段１１の入浴部４に至る中途において、方向転換ガイド部７５を介してキャリア洗浄部３を縦経路８２の側方に設置することにより、部屋の中央部の床面を徒に濡らすことなく衛生的な作業を省力的に且つ安全に行うことができる。また部屋の中央部ではコスト高となる水周り機器の設置を回避して、壁際でのキャリア洗浄部３の設置を可能にすると共に、洗浄やケア作業及びメンテナンス作業等も簡単に行うことができる。また入浴装置１はユニット構造にすることが容易であり、多数の入浴者（要介護者）がいる施設等においては、図１０で示すように複数の入浴装置１を纏まりよく簡単に併設することができる。
【００７１】
尚、移動ガイド手段１１は前記したものに限ることなく、例えば、床面９に作業方向に沿って塗布又は貼着等の手段によって形成された磁気帯体（磁気レール）に沿ってキャリア２を走行制御移動させる方式にすることもできる。この場合は台車部２７に設けた磁気センサによって磁気帯体を読み取り、電動駆動式にしたキャスタ２６を走行制御させる機構とすることにより、予め設定されたプログラムに基づき自動制御及び手動による移動操作を自在に行うことができる。また電動駆動式のキャスタ２６は自動的にブレーキをかける制御が簡単であり、位置決め箇所でのキャリア２の固定を確実にできること、及び走行時のキャスタ２６の揺れを軽減した移動をスムーズに行うことができる等の特徴がある。
【図面の簡単な説明】
【００７２】
【図１】本発明に係わる入浴装置の全体の構成を示す側面図である。
【図２】図１の平面図である。
【図３】キャリア洗浄部の別実施形態を示す斜視図である。
【図４】本発明の別実施形態に係わる入浴装置の全体の構成を示す平面図である。
【図５】図４のキャリアを示す側面図である。
【図６】図５のキャリアのベッド部を浴槽内に下降させた状態を示す側面図である。
【図７】キャリアの係合突起部の構成と作用を示す模式図である。
【図８】図４で使用される浴槽の側面図である。
【図９】図４で使用されるキャリア洗浄部の構成を示す正面図である。
【図１０】図４の入浴装置を複数併設した全体の構成を示す平面図である。
【符号の説明】
【００７３】
１    入浴装置
２    キャリア
３    キャリア洗浄部
４    入浴部
７    脱衣室
８    着衣室
９    床面
１０  位置決め手段
１０ａ  ストッパ
１１  移動ガイド手段
１２  洗浄ノズル
１３  足裏ノズル
３１  浴槽
３５  送風ノズル
３６  乾燥ノズル
４１  支持部材
４３  マイクロバブル発生装置
４５  マイクロバブルノズル
６０  ベッド部
６５  ガイド溝
６６  係合突起部
７５  方向転換ガイド部
７６  中継ベッド
７８  乾燥用ノズル（送風ノズル）
８２  縦経路
８３  横経路
８４  旋回経路
【図１】
2009112389.tif 000003
【図２】
2009112389.tif 000004
【図３】
2009112389.tif 000005
【図４】
2009112389.tif 000006
【図５】
2009112389.tif 000007
【図６】
2009112389.tif 000008
【図７】
2009112389.tif 000009
【図８】
2009112389.tif 000010
【図９】
2009112389.tif 000011
【図１０】
2009112389.tif 000012